(57)【要約】【課題】眼鏡の着装により、眼尻部分のしわや、下眼瞼の下方の隈がかくせ、眼を若々しいままにあらわれるようにして、容姿を、若さを保持した美しい状態に粧えるようにする。【解決手段】眼鏡Ａの眼鏡フレーム１に左右に一対に対称させて組付ける左右のレンズ２・２を、透明なガラスまたは合成樹脂材により、眼鏡Ａを装着した人Ｂの左右の眼ａ・ａおよびその四周の前面をそっくり遮閉する面積を具備する形状に形成し、かつ、そのレンズ２・２は上半側を透明にし、下半側で、着装時の正面視において、眼ａの眼頭ｂ部位の上部から眼尻ｃ部位の上部に至る間を下眼瞼ｄに沿い弧状に結ぶ仮想ラインＬより下方の部位に、上縁が上向きの弧状となる三日月状の遮光性の彩色帯３を付設する。【選択図】図３
0003115868.tif 000002
【実用新案登録請求の範囲】
【請求項１】
眼鏡Ａの眼鏡フレーム１に、左右に一対に対称させて組付ける左右のレンズ２・２を、透明なガラスまたは合成樹脂材により、眼鏡Ａを装着した人Ｂの左右の眼ａ・ａおよびその四周の前面をそっくり遮閉する面積を具備する形状に形成し、かつ、そのレンズ２・２は、上半側を透明にし、下半側で、装着時の正視において、眼ａ・ａの眼頭ｂ部位の上部から眼尻ｃ部位の上部に至る間を下眼瞼ｄに沿って結ぶ仮想ラインＬより下方に位置する部分に、上縁から上向きの弧状となる三日月状の遮光性の彩色帯３を付設したことを特徴とする美粧用のサングラス。
【請求項２】
レンズ２・２の下半側に付設する遮光性の彩色帯３を、眼鏡装着時の前面視において、左右の内端側と外端側とが、人の眼ａの眼頭ｂ部分と眼尻ｃ部分の前面に位置し、その眼頭ｂ部分と眼尻ｃ部分とを結ぶ中間部分の上縁部が、下眼瞼ｄに沿う上向きの弧状となる上弦の半月状に付設することを特徴とする請求項１記載の美粧用のサングラス。
【請求項３】
レンズ２・２の下半側に付設する遮光性の彩色帯３を、眼鏡Ａ装着時の前面視において、人の眼ａの眼尻ｃ部分の上縁部位から、下眼瞼ｄに沿い眼頭ｂ部の前面部位に至る弧状の仮想ラインＬより下方のゾーンに付設することを特徴とする請求項１記載の美粧用のサングラス。
【考案の詳細な説明】
【技術分野】
【０００１】
本考案は、眼鏡の着装により、容姿を美しく整えるための、美粧用のサングラスに関する。
【背景技術】
【０００２】
眼鏡フレームに取付けるレンズを、彩色した色ガラスまたは彩色した樹脂材で成形するか、レンズの表面の金部または上部の略半分の部分に、カラーの被膜をコーティングしてなる遮光用の眼鏡であるサングラスを、アクセサリーとして装着することは、従来から行われている。
【０００３】
また、失明者等の視力に欠陥のある人が、暗色のガラス・合成樹脂製のレンズを取付けた眼鏡を用いることも行われている。
【０００４】
しかし、このように、従前から使用されているサングラスは、例えば、視力に欠陥のある人の使用に供する暗色のサングラスを通常の人が用いた場合には、人相が悪く見え、悪役にふさわしいものとなって、容貌を損なうようになり、好感をもてないものとなる。
【考案の開示】
【考案が解決しようとする課題】
【０００５】
ところで、人の顔には、年齢を重ねることで眼尻ｃの部位に、千鳥状のしわｅや、下眼瞼の下方部位に三日月状の陰翳・隈ｆが生じてくるものであるが、これが年齢を感じさせる。このことから、特に、若さを美貌の要件としている女性にあっては、その美貌を保つために、この眼尻ｃのしわｅや、下眼瞼ｄの下方部位に三日月状に生じてくる隈ｆをかくして美粧するようにしている。
【０００６】
この眼尻ｃ部分のしわｅや、下眼瞼ｄの下方の隈ｆが、眼鏡Ａの着装によりかくせ、眼ａが若々しいままにあらわれるようになれば、容姿を若さを保持した美しい状態に粧えるようになる。本考案は、これを実現させることを課題とするものであり、この課題を解決する手段を提供することを目的としているものである。
【課題を解決するための手段】
【０００７】
この課題を解決するための本考案手段は、請求項１に記載したように、眼鏡Ａの眼鏡フレーム１に左右に一対に対称させて組付ける左右のレンズ２・２を、透明なガラスまたは合成樹脂材により、眼鏡Ａを装着した人Ｂの左右の眼ａ・ａおよびその四周の前面をそっくり遮閉する面積を具備する形状に形成し、かつ、そのレンズ２・２は上半側を透明にし、下半側で、着装時の正面視において、眼ａの眼頭ｂ部位の上部から眼尻ｃ部位の上部に至る間を下眼瞼ｄに沿い弧状に結ぶ仮想ラインＬより下方の部位に、上縁が上向きの弧状となる三日月状の遮光性の彩色帯３を付設して、美粧用のサングラスを構成する手段を構成するものである。
【考案の効果】
【０００８】
本考案による美粧用の眼鏡（サングラス）は、化粧した女性が着装することで、眼尻ｃのしわｅや、下眼瞼ｄの下方の隈ｆがレンズ２・２の下半側に付設した三日月状の彩色帯３により匿くされて見えなくなることから、若さを保持した状態に容姿を整えられるようになる。
【考案を実施するための最良の形態】
【０００９】
本考案手段による美粧用のサングラスにおいて用いるレンズは、ガラスを素材として成形するもの、または、合成樹脂材を素材として成形するものの何れであってもよい。また、レンズの下半側に、上縁側が上向きの弧状をなす形態に付設する遮光性の彩色帯３は、色素を被膜状にコーティングするか、レンズ２・２を成形する素材に色素を含有させるなど通常行われている手段を用いて付設してよい。
【００１０】
また、彩色帯３をレンズ２に付設する際、それの上縁側を、暈すように次第に淡くしてよい。
次に実施例を図面に従い詳述する。
【実施例１】
【００１１】
図１は、本考案手段による美粧用の眼鏡（サングラス）の斜視図、図２は同上の眼鏡を使用する人の顔の斜視図、図３は同上眼鏡を着装した状態時の斜視図であり、同図において、Ａは眼鏡、１はそれの眼鏡フレーム、２・２はその眼鏡フレーム１に組付け保持せしめた左右のレンズ、３はその左右のレンズ２・２のそれぞれの下半側に付設した遮光性の彩色帯を示す。
【００１２】
また、図２において、Ｂは同上の眼鏡Ａを装着して美粧する女性の顔、ａはその人の眼、ｂ・ｂは眼ａの眼頭、ｃは眼尻、ｄは眼ａの下眼瞼、ｅは眼尻ｃ部分に生ずる千鳥状のしわ、ｆは下眼瞼ｄの筋肉板の前面に半月状に生じてくる隈を示す。
【００１３】
眼鏡Ａは、眼鏡フレーム１に左右に一対のレンズ２・２を取付け保持せしめた通常の形態のものであり、その眼鏡フレーム１には、レンズ２・２の周縁を嵌め込む額縁状の縁枠がなく、レンズ２・２は、裸のまま、左右の両端部に設けた取付金具４に耳かけ部１ａと鼻かけ部１ｂに連結することで、レンズ２・２と眼鏡フレーム１とが一体的に連結する眼鏡Ａを組立てるようにしてある。
【００１４】
レンズ２・２は、合成樹脂材により成形した形態のもので、それの下半側に付設する遮光性の彩色帯３は、色素材を被膜状にコーティングすることで付設してある。
【００１５】
そして、その彩色帯３は、図１にあるように、各レンズ２・２の左右の内端部から外端部に至る間を横切る仮想ラインＬより下方のゾーンに付設するが、その仮想ラインＬは、眼鏡Ａが図３にあるように装着された状態時の前面視において、装着した人の眼ａの眼頭ｂ部位の上部から眼尻ｃ部分の上部に至る間を、眼ａの下眼瞼ｄに沿い弧状に結ぶ上向きの円弧状をなすようにしてあり、これにより、眼鏡Ａを装着したときに、眼尻ｃに生じてくるしわｅや、下眼瞼ｄの下方に生じてくる三日月状の薄墨色の隈ｆが、彩色帯３で匿されて、生色のある眼ａが鮮やかに現れるようにしてある。
【図面の簡単な説明】
【００１６】
【図１】本考案による眼鏡の斜視図である。
【図２】同上の眼鏡を使用する人の顔面の斜視図である。
【図３】同上の眼鏡を装着して美粧した状態の斜視図である。
【符号の説明】
【００１７】
Ａ…眼鏡、Ｂ…人、Ｌ…仮想ライン、ａ…眼、ｂ…眼頭、ｃ…眼尻、ｄ…下眼瞼、ｅ…しわ、ｆ…隈、１…フレーム、１ａ…耳かけ部、１ｂ…鼻かけ部、２…レンズ、３…彩色帯、４…取付金具。
【図１】
0003115868.tif 000003
【図２】
0003115868.tif 000004
【図３】
0003115868.tif 000005